(57)【要約】【課題】、複数の移動通信システムが混在する際において、それぞれの移動通信システムに対応する無線基地局装置、移動端末装置および無線アクセス方法を提供すること。【解決手段】複数のコンポーネントキャリアで構成されるシステム帯域をもつ移動体通信システムでの送信時に、送信データをサブフレーム内では単一のコンポーネントキャリア内で周波数ホッピングし、前後するサブフレーム間では相互に異なる複数のコンポーネントキャリア間に亘って周波数ホッピングする構成とした。【選択図】図３
2010219804.tif 000002
【特許請求の範囲】
【請求項１】
複数の基本周波数ブロックで構成されるシステム帯域を用いて下り送信データを送信する送信手段と、前記送信手段で送信する送信データを前記複数の基本周波数ブロック間に亘って周波数ホッピングするホッピング手段とを有することを特徴とする無線基地局装置。
【請求項２】
前記ホッピング手段は、前記送信データを送信時間単位内では単一の基本周波数ブロック内で周波数ホッピングし、前後する送信時間単位間では相互に異なる前記複数の基本周波数ブロック間に亘って周波数ホッピングすることを特徴とする請求項１に記載の無線基地局装置。
【請求項３】
前記ホッピング手段は、前記送信データを送信時間単位内では前記複数の基本周波数ブロック間に亘って周波数ホッピングすることを特徴とする請求項１に記載の無線基地局装置。
【請求項４】
前記ホッピング手段は、前記送信データを送信時間単位内では前記複数の基本周波数ブロック間に亘って周波数ホッピングし、前後する送信時間単位間では相互に異なる前記複数の基本周波数ブロック間に亘って周波数ホッピングすることを特徴とする請求項１に記載の無線基地局装置。
【請求項５】
前記ホッピング手段は、前記送信データを異なる送信時間単位間において異なる前記複数の基本周波数ブロック間に亘ってホッピングすることを特徴とする請求項１に記載の無線基地局装置。
【請求項６】
前記基本周波数ブロックは、コンポーネントキャリアであることを特徴とする請求項１から請求項５のいずれかに記載の無線基地局装置。
【請求項７】
複数の基本周波数ブロックで構成されるシステム帯域を用いて上り送信データを送信する送信手段と、前記送信手段で送信する送信データを前記複数の基本周波数ブロック間に亘って周波数ホッピングするホッピング手段とを有することを特徴とする移動端末装置。
【請求項８】
前記ホッピング手段は、前記送信データを送信時間単位内では単一の基本周波数ブロック内で周波数ホッピングし、前後する送信時間単位間では相互に異なる前記複数の基本周波数ブロック間に亘って周波数ホッピングすることを特徴とする請求項７に記載の移動端末装置。
【請求項９】
前記ホッピング手段は、前記送信データを送信時間単位内では前記複数の基本周波数ブロック間に亘って周波数ホッピングすることを特徴とする請求項７に記載の移動端末装置。
【請求項１０】
前記ホッピング手段は、前記送信データを送信時間単位内では前記複数の基本周波数ブロック間に亘って周波数ホッピングし、前後する送信時間単位間では相互に異なる前記複数の基本周波数ブロック間に亘って周波数ホッピングすることを特徴とする請求項７に記載の移動端末装置。
【請求項１１】
前記ホッピング手段は、前記送信データを異なる送信時間単位間において異なる前記複数の基本周波数ブロック間に亘ってホッピングすることを特徴とする請求項７に記載の移動端末装置。
【請求項１２】
前記基本周波数ブロックは、コンポーネントキャリアであることを特徴とする請求項７から請求項１１のいずれかに記載の移動端末装置。
【請求項１３】
複数の基本周波数ブロックで構成されるシステム帯域を用いて送信データを送信するステップと、送信データを前記複数の基本周波数ブロック間に亘って周波数ホッピングするステップとを有する無線アクセス方法。
【発明の詳細な説明】
【技術分野】
【０００１】
本発明は、次世代移動通信システムにおける無線基地局装置、移動端末装置および無線アクセス方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband Code Division Multiple Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（非特許文献１）。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（無線基地局装置や移動端末装置など）が必要となることが考えられる。
【先行技術文献】
【非特許文献】
【０００４】
【非特許文献１】3GPP, TR25.912 (V7.1.0), "Feasibilitystudy for Evolved UTRA and UTRAN", Sept. 2006
【発明の概要】
【発明が解決しようとする課題】
【０００５】
本発明はかかる点に鑑みてなされたものであり、複数の移動通信システムが混在する際において、それぞれの移動通信システムに対応する無線基地局装置、移動端末装置および無線アクセス方法を提供することを目的とする。
【課題を解決するための手段】
【０００６】
本発明の無線基地局装置は、複数の基本周波数ブロックで構成されるシステム帯域を用いて下り送信データを送信する送信手段と、前記送信手段に送信された送信データを前記複数の基本周波数ブロック間に亘って周波数ホッピングするホッピング手段とを有することを特徴とする。
【発明の効果】
【０００７】
本発明によれば、送信データが複数の基本周波数ブロックに亘って周波数ホッピングされるため、単一の基本周波数ブロック内で周波数ホッピングする場合と比較して十分な周波数ダイバーシチ効果を得ることができる。
【図面の簡単な説明】
【０００８】
【図１】ＬＴＥシステムのシステム帯域の説明図である。
【図２】本実施の形態における無線基地局装置の送信系処理構成を示すブロック図である。
【図３】本実施の形態における移動端末装置の受信系処理構成を示すブロック図である。
【図４】本実施の形態における第１ホッピングパターンの説明図である。
【図５】本実施の形態における第２ホッピングパターンの説明図である。
【図６】本実施の形態における第３ホッピングパターンの説明図である。
【図７】本実施の形態における第４ホッピングパターンの説明図である。
【図８】本実施の形態における移動端末装置の送信系処理構成を示すブロック図である。
【図９】本実施の形態における無線基地局装置の受信系処理構成を示すブロック図である。
【発明を実施するための形態】
【０００９】
図１は、下りリンクで移動通信が行われる際の周波数使用状態を説明するための図である。なお、以下の説明では基本周波数ブロックをコンポーネントキャリアとして説明する。図１に示す例は、複数のコンポーネントキャリアで構成される相対的に広い第１システム帯域を持つ第１移動通信システムであるＬＴＥ−Ａシステムと、相対的に狭い（ここでは、一つのコンポーネントキャリアで構成される）第２システム帯域を持つ第２移動通信システムであるＬＴＥシステムが併存する場合の周波数使用状態である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数領域（コンポーネントキャリア：ＣＣ）となっている。このように複数の基本周波数領域を一体として広帯域化することをキャリアアグリゲーションという。
【００１０】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User Equipment）＃１は、ＬＴＥ−Ａシステム対応（ＬＴＥシステムにも対応）の移動端末装置であり、１００ＭＨｚのシステム帯域を持ち、ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持ち、ＵＥ＃３は、ＬＴＥシステム対応（ＬＴＥ−Ａシステムには対応せず）の移動端末装置であり、２０ＭＨｚ（ベース帯域）のシステム帯域を持つ。
【００１１】
また、ＬＴＥシステムにおいては、伝搬環境の悪化等による通信品質の劣化を改善するために、一つのコンポーネントキャリア内で周波数ホッピングしている。このＬＴＥシステムにおける周波数ホッピングをＬＴＥ−Ａシステムに適用した場合には、複数のコンポーネントキャリアによりシステム帯域を拡大したにもかかわらず、十分な周波数ダイバーシチ効果が得られないことが想定される。
【００１２】
そこで、本発明者らは、この問題点を解決するために、本発明をするに至った。すなわち、本発明の骨子は、複数のコンポーネントキャリアで構成されるシステム帯域をもつ移動通信システムでの送信時に、送信データを複数のコンポーネントキャリア間に亘って周波数ホッピングすることにより、十分な周波数ダイバーシチ効果を得ることである。
【００１３】
以下、本発明の実施の形態について、添付図面を参照して詳細に説明する。ここでは、ＬＴＥ−Ａシステムに対応する無線基地局装置および移動端末装置を用いる場合について説明する。
【００１４】
図２から図７を参照して、下りリンク構成について説明する。図２は、本発明の実施の形態に係る無線基地局装置の送信系処理構成を示すブロック図である。図３は、本発明の実施の形態に係る移動端末装置の受信系処理構成を示すブロック図である。図４から図７は、本発明の実施の形態に係る第１ホッピングパターンから第４ホッピングパターンの説明図である。
【００１５】
まず、無線基地局装置の下りリンク構成について説明する。図２に示すように、無線基地局装置の送信系処理部は、接続されたユーザ毎に下り送信データを生成する下り送信データ生成部１０１と、ユーザ毎に生成された下り送信データを符号化および変調する下り送信データ符号化・変調部１０２と、ユーザ毎の下り送信データを多重してコンポーネントキャリアにマッピングするサブキャリアマッピング部１０３と、マッピング後の下り送信データを逆高速フーリエ変換（ＩＦＦＴ：  Inverse  Fast  Fourier  Transform）するＩＦＦＴ部１０４と、下り送信データにサイクリックプレフィックス（ＣＰ：Cyclic  Prefix）を付加するＣＰ付加部１０５とを有している。
【００１６】
下り送信データ生成部１０１は、上位レイヤから渡されるデータを用いてユーザデータ等を含む下り送信データを生成し、生成した下り送信データを下り送信データ符号化・変調部１０２に出力する。下り送信データ符号化・変調部１０２は、下り送信データに誤り訂正符号を付加すると共に、下り送信データを複数のサブキャリア毎にＱＰＳＫ（Quadrature  Phase  Shift  Keying）、ＱＡＭ（Quadrature  Amplitude  Modulation）等を用いて変調する。
【００１７】
サブキャリアマッピング部１０３は、符号化・変調されたユーザ毎の下り送信データおよびホッピング情報を含む制御信号を多重すると共に、下り送信データをコンポーネントキャリアの周波数領域にマッピングする。この場合、サブキャリアマッピング部１０３は、下り送信データを複数のコンポーネントキャリア間に亘って周波数ホッピングするようにマッピングする。以下、サブキャリアマッピング部１０３によるホッピングパターンについて説明する。
【００１８】
なお、以下の説明では、送信データを単一のコンポーネントキャリア内において周波数ホッピングすることをイントラＣＣ周波数ホッピングと称し、送信データを複数のコンポーネントキャリア間に亘って周波数ホッピングすることをインターＣＣ周波数ホッピングと称し、送信データを前後するサブフレーム間に亘って時間軸方向にホッピングすることをインターサブフレームホッピングと称する。さらに、以下のホッピングパターンにおいては、時間軸上に割り当てられたサブフレームを連続した２つのタイムスロットで構成した例について説明する。
【００１９】
図４に示すように、第１ホッピングパターンでは、各サブフレーム内で送信される送信データがイントラＣＣ周波周ホッピングされると共に、送信タイミングが前後するサブフレーム間で送信される送信データがインターＣＣ周波数ホッピングされる。具体的には、１サブフレームで送信される送信データが異なるコンポーネントキャリアに割り当てられる。また、１コンポーネントキャリア内で異なるタイムスロットに割り当てられた送信データが別々の周波数領域にマッピングされる。
【００２０】
例えば、図４では、サブキャリアマッピング部１０３は、最初の送信タイミングでサブフレームの第１タイムスロットおよび第２タイムスロットで送信される送信データを、それぞれ第１コンポーネントキャリアＣＣ＃１の異なる周波数領域にマッピングする。次の送信タイミングでサブフレームの第１タイムスロットおよび第２タイムスロットで送信される送信データを、それぞれ第２コンポーネントキャリアＣＣ＃２の異なる周波数領域にマッピングする。さらに次の送信タイミングでサブフレームの第１タイムスロットおよび第２タイムスロットで送信される送信データを、それぞれ第３コンポーネントキャリアＣＣ＃３の異なる周波数領域にマッピングする。そして、後続の送信タイミングでこのホッピングパターンが繰り返されるようにマッピングする。
【００２１】
このように、第１ホッピングパターンでは、時間の経過と共に、送信タイミングが前後するサブフレーム間で送信される送信データが複数のコンポーネントキャリアに亘って周波数ホッピングされるため、十分な周波数ダイバーシチ効果を得ることが可能となる。特に、一のコンポーネントキャリアの伝搬環境が全体的に劣化している場合に有効である。また、各コンポーネントキャリア内においては、ＬＴＥシステムと同一の構成となるため、ＬＴＥシステムとの親和性が高くなる。
【００２２】
図５に示すように、第２ホッピングパターンでは、各サブフレーム内で送信される送信データがインターＣＣ周波数ホッピングされる。具体的には、この第２のホッピングパターンは、１サブフレーム内の各タイムスロットで送信される送信データが、複数のコンポーネントキャリアに亘る周波数領域にマッピングされる。
【００２３】
例えば、図５では、サブキャリアマッピング部１０３は、最初の送信タイミングでサブフレームの第１タイムスロットで送信される送信データを第１コンポーネントキャリアＣＣ＃１の周波数領域にマッピングし、第２タイムスロットで送信される送信データを第３コンポーネントキャリアＣＣ＃３の周波数領域にマッピングする。そして、後続の送信タイミングでこのホッピングパターンが繰り返されるようにマッピングする。
【００２４】
このように、第２ホッピングパターンでは、時間の経過と共に、サブフレーム内で送信される送信データが複数のコンポーネントキャリア間に亘って周波数ホッピングされるため、第１ホッピングパターンよりも大きな周波数ダイバーシチ効果を得ることが可能となる。特に、コンポーネントキャリア内において部分的に伝搬環境が劣化している場合に有効である。
【００２５】
図６に示すように、第３ホッピングパターンでは、各サブフレーム内で送信される送信データがインターＣＣ周波数ホッピングされると共に、送信タイミングが前後するサブフレーム間で送信される送信データがインターＣＣ周波数ホッピングされる。具体的には、異なるサブフレームで送信される送信データが異なるコンポーネントキャリアに割り当てられる。また、１サブフレーム内の各タイムスロットで送信される送信データが異なるコンポーネントキャリアの周波数領域にマッピングされる。
【００２６】
例えば、図６では、サブキャリアマッピング部１０３は、最初の送信タイミングでサブフレームの第１タイムスロットで送信される送信データを第１コンポーネントキャリアＣＣ＃１の周波数領域にマッピングし、第２タイムスロットで送信される送信データを第３コンポーネントキャリアＣＣ＃３の周波数領域にマッピングする。次の送信タイミングでサブフレームの第１タイムスロットで送信される送信データを第２コンポーネントキャリアＣＣ＃２の周波数領域にマッピングし、第２タイムスロットで送信される送信データを第４コンポーネントキャリアＣＣ＃４の周波数領域にマッピングする。そして、後続の送信タイミングでこのホッピングパターンが繰り返されるようにマッピングする。
【００２７】
このように、第３ホッピングパターンでは、時間の経過と共に、サブフレーム内で送信される送信データが複数のコンポーネントキャリア間に亘って周波数ホッピングされると共に、送信タイミングが前後するサブフレーム間で送信される送信データが複数のコンポーネントキャリア間に亘って周波数ホッピングされるため、第２ホッピングパターンよりも大きな周波数ダイバーシチ効果を得ることが可能となる。特に、一のコンポーネントキャリアの伝搬環境が全体的に劣化している場合だけでなく、コンポーネントキャリア内において部分的に伝搬環境が劣化している場合に有効である。
【００２８】
図７に示すように、第４ホッピングパターンでは、サブフレーム内で送信される送信データがインターサブフレームホッピングされ、送信タイミングが前後するサブフレーム間で送信される送信データがインターＣＣ周波数ホッピングされる。具体的には、先行するサブフレームで送信される送信データの一部が後続するサブフレームのタイムスロットに割り当てられる。また、１サブフレームで送信される送信データが異なるコンポーネントキャリアの周波数領域にマッピングされる。
【００２９】
例えば、図７では、サブキャリアマッピング部１０３は、最初の送信タイミングでサブフレームの第１タイムスロットで送信される送信データを第１コンポーネントキャリアＣＣ＃１の周波数領域にマッピングし、次の送信タイミングでサブフレームの第１スロットで送信される送信データを第２コンポーネントキャリアＣＣ＃２の周波数領域にマッピングする。そして、後続の送信タイミングでこのホッピングパターンが繰り返されるようにマッピングする。
【００３０】
このように、第４ホッピングパターンでは、時間の経過と共に、送信タイミングが前後するサブフレーム間で送信される送信データが複数のコンポーネントキャリア間に亘って周波数ホッピングされるため、第２ホッピングパターンよりも大きな周波数ダイバーシチ効果を得ることが可能となる。特に、コンポーネントキャリア内において部分的に伝搬環境が劣化している場合に有効である。
【００３１】
図２に戻り、ＩＦＦＴ部１０４は、コンポーネントキャリアにマッピングされた下り送信データをＩＦＦＴ処理により周波数領域から時間領域の信号に変換し、ＣＰ付加部１０５に出力する。ＣＰ付加部１０５は、下り送信データにサイクリックプレフィックスを付加する。ＣＰ付加部１０５を通過した下り送信データは、下り信号として移動端末装置に向けて送信される。この場合、例えば、下り送信データに含まれるユーザデータはＰＤＳＣＨ（Physical  Downlink  Shared  Channel）等で送信され、下り送信データに含まれる制御信号はＰＤＣＣＨ（Physical  Downlink  Control  Channel）等で送信される。
【００３２】
次に、移動端末装置の下りリンク構成について説明する。図３に示すように、移動端末装置の受信系処理部は、受信した下り受信データからＣＰを除去するＣＰ除去部２０１と、下り受信データを高速フーリエ変換（ＦＦＴ：Fast Fourier Transform）するＦＦＴ部２０２と、下り受信データを分離して自機宛のデータを取り出す分離部２０３とを有している。
【００３３】
ＣＰ除去部２０１は、下り受信データからサイクリックプレフィックスを除去し、ＦＦＴ部２０２に出力する。ＦＦＴ部２０２は、ＦＦＴ処理により下り受信データを時間領域の信号から周波数領域の信号に変換し、変換した信号を分離部２０３に出力する。分離部２０３は、下り受信データの制御信号からホッピング情報を取り出し、このホッピング情報に基づいて下り受信データから自機宛のデータを取り出して受信部２０４に出力する。
【００３４】
このように、下りリンク構成では、無線基地局装置において下り送信データを複数のコンポーネントキャリア間に亘って周波数ホッピングするようにマッピングして移動端末装置に送信する。そして、移動端末装置においてホッピング情報に基づいて下り受信データから自機宛のデータを取り出すようにしている。したがって、下りリンクにおいてＬＴＥシステムにおける単一のコンポーネントキャリア内で周波数ホッピングする構成よりも、ダイバーシチ効果を得ることが可能となる。
【００３５】
なお、上記した下りリンク構成においては、無線基地局装置において下り送信データにホッピング情報を含む制御信号を多重して、ホッピングパターンを移動端末装置に通知する構成としたが、この構成に限定されるものではない。移動端末装置がホッピングパターンを把握していればよく、例えば、ホッピングパターンが規格で決まっている場合であれば、移動端末装置にホッピングパターンを通知しなくてもよい。
【００３６】
図８および図９を参照して、上りリンク構成について説明する。図８は、本発明の実施の形態に係る移動端末装置の送信系処理構成を示すブロック図である。図９は、本発明の実施の形態に係る無線基地局装置の受信系処理構成を示すブロック図である。なお、上りリンク構成においては、下りリンク構成と同様なホッピングパターンで周波数ホッピングされるため、ホッピングパターンの説明については省略する。
【００３７】
まず、移動端末装置の上りリンク構成について説明する。図８に示すように、移動端末装置の送信系処理部は、上り送信データを生成する上り送信データ生成部３０１と、上り送信データを符号化および変調する上り送信データ符号化・変調部３０２と、上り送信データを離散フーリエ変換（ＤＦＴ：Discrete  Fourier  Transform）するＤＦＴ部３０３と、ＤＦＴ処理後の上り送信データをマッピングするサブキャリアマッピング部３０４と、マッピング後の上り送信データをＩＦＦＴ処理するＩＦＦＴ部３０５と、上り送信データにサイクリックプレフィックスを付加するＣＰ付加部３０６と、上り送信データにパイロット信号を多重する多重部３０７とを有している。
【００３８】
上り送信データ生成部３０１は、上位レイヤから渡されるデータを用いてユーザデータ等を含む上り送信データを生成し、生成した上り送信データを上り送信データ符号化・変調部３０２に出力する。上り送信データ符号化・変調部３０２は、上り送信データに誤り訂正符号を付加すると共に、上り送信データを複数のサブキャリア毎に変調する。ＤＦＴ部３０３は、符号化・変調された上り送信データをＤＦＴ処理により時間領域の信号から周波数領域の信号に変換し、変換した上り送信データをサブキャリアマッピング部３０４に出力する。
【００３９】
サブキャリアマッピング部３０４は、ＤＦＴ処理された上り送信データにホッピング情報を含む制御信号を多重すると共に、上り送信データを複数のコンポーネントキャリア間に亘って周波数ホッピングするようにマッピングする。この場合、上記した各種ホッピングパターンでホッピングする。
【００４０】
ＩＦＦＴ部３０５は、コンポーネントキャリアにマッピングされた上り送信データをＩＦＦＴ処理により周波数領域から時間領域の信号に変換し、ＣＰ付加部３０６に出力する。ＣＰ付加部３０６は、上り送信データにサイクリックプレフィックスを付加し、多重部３０７に出力する。多重部３０７は、上り送信データに同期検出や伝送路の伝搬環境を推定するためのパイロット信号を多重する。多重部３０７を通過した上り送信データは、上り信号として無線基地局装置に向けて送信される。この場合、例えば、上り送信データに含まれるユーザデータはＰＵＳＣＨ等で送信され、上り送信データに含まれる制御信号はＰＵＣＣＨ等で送信される。
【００４１】
次に、無線基地局装置の上りリンク構成について説明する。図９に示すように、無線基地局装置の受信系処理部は、受信した上り受信データからＣＰを除去するＣＰ除去部４０１と、上り受信データを高速フーリエ変換（ＦＦＴ：Fast Fourier Transform）するＦＦＴ部４０２と、ＦＦＴ処理後の上り受信データをデマッピングするサブキャリアデマッピング部４０３と、受信したパイロット信号に基づいて同期検出およびチャネル推定を行う同期検出・チャネル推定部４０４と、上り受信データからチャネル歪を除去する周波数領域等化部４０５と、上り受信データを逆離散フーリエ変換（ＩＤＦＴ：Inverse  Discrete  Fourier  Transform）するＩＤＦＴ部４０６とを有している。
【００４２】
無線基地局装置に送信された上り受信データは、ＣＰ除去部４０１に入力されると共に、上り受信データから分離されたパイロット信号は、同期検出・チャネル推定部４０４に入力される。同期検出・チャネル推定部４０４は、同期検出回路およびチャネル推定部が組み込まれており、パイロット信号に基づいて同期検出回路で同期検出を行うと共に、チャネル推定部で各サブキャリアの位相と振幅のチャネル歪等の伝搬環境を推定する。同期検出回路の同期検出によりＣＰ除去部４０１やＦＦＴ部４０２の処理タイミングが制御され、チャネル推定部による推定結果により、周波数領域等化部４０５による等化処理が制御される。
【００４３】
ＣＰ除去部４０１は、上り受信データからサイクリックプレフィックスを除去し、ＦＦＴ部４０２に出力する。ＦＦＴ部４０２は、ＦＦＴ処理により上り受信データを時間領域の信号から周波数領域の信号に変換し、変換した信号をサブキャリアデマッピング部４０３に出力する。サブキャリアデマッピング部４０３は、上り受信データの制御信号からホッピング情報を取り出し、このホッピング情報に基づいて上り受信データから自機宛のデータを取り出して、周波数領域等化部４０５に出力する。
【００４４】
周波数領域等化部４０５は、同期検出・チャネル推定部４０４のチャネル推定結果に基づいて、上り受信データの各サブキャリアの位相と振幅のチャネル歪を除去し、ＩＤＦＴ部４０６に出力する。ＩＤＦＴ部４０６は、等化処理された上り受信データをＩＤＦＴ処理により周波数領域の信号から時間領域の信号に変換し、受信部４０７に出力する。
【００４５】
このように、上りリンク構成では、移動端末装置において上り送信データを複数のコンポーネントキャリア間に亘って周波数ホッピングするようにマッピングして無線基地局装置に送信する。そして、無線基地局装置においてホッピング情報に基づいてデマッピングしてデータを取り出すようにしている。したがって、上りリンクにおいてＬＴＥシステムにおける単一のコンポーネントキャリア内で周波数ホッピングする構成よりも、ダイバーシチ効果を得ることが可能となる。
【００４６】
なお、上記した上りリンク構成においては、移動端末装置において上り送信データにホッピング情報を含む制御信号を多重して、ホッピングパターンを無線基地局装置に通知する構成としたが、この構成に限定されるものではない。無線基地局装置がホッピングパターンを把握していればよく、例えば、ホッピングパターンが規格で決まっている場合であれば、無線基地局装置にホッピングパターンを通知しなくてもよい。
【００４７】
以上のように、本実施の形態に係る移動体通信システムによれば、送信データが複数のコンポーネントキャリア間に亘って周波数ホッピングされるため、単一のコンポーネントキャリア内で周波数ホッピングする場合と比較して十分な周波数ダイバーシチ効果を得ることが可能となる。
【００４８】
なお、上記した実施の形態においては、第１ホッピングパターンから第４ホッピングパターンを例示して説明したが、このホッピングパターンに限定されるものではない。送信データを複数のコンポーネントキャリア間に亘って周波数ホッピングするホッピングパターンであれば、どのようなホッピングパターンであってもよい。
【００４９】
また、上記した実施の形態においては、第１ホッピングパターンから第４ホッピングパターンのうち１つのホッピングパターンで周波数ホッピングする構成としたが、この構成に限定されるものではない。伝送路の伝搬環境に応じて第１ホッピングパターンから第４ホッピングパターンを切り換える構成としてもよい。
【００５０】
また、上記した実施の形態においては、サブキャリアマッピング部において周波数ホッピングする構成としたが、この構成に限定されるものではなく、サブキャリアマッピング部とは別にマッピング後に周波数ホッピングする構成としてもよい。
【００５１】
また、上記した実施の形態においては、送信時間単位としてサブフレームを例示して説明したが、この構成に限定されるものではなく、例えば、サブフレームよりも長い時間間隔を送信時間単位としてもよいし、サブフレームよりも短い時間間隔を送信時間単位としてもよい。
【００５２】
本発明は上記実施の形態に限定されず、様々変更して実施することが可能である。例えば、本発明の範囲を逸脱しない限りにおいて、上記説明におけるコンポーネントキャリアの割り当て、処理部の数、処理手順、コンポーネントキャリアの数、コンポーネントキャリアの集合数については適宜変更して実施することが可能である。その他、本発明の範囲を逸脱しないで適宜変更して実施することが可能である。
【符号の説明】
【００５３】
１０１  下り送信データ生成部
１０２  下り送信データ符号化・変調部
１０３、３０４  サブキャリアマッピング部（ホッピング手段）
１０４、３０５  ＩＦＦＴ部
１０５、３０６  ＣＰ付加部
２０１、４０１  ＣＰ除去部
２０２、４０２  ＦＦＴ部
２０３  分離部
２０４、４０７  受信部
３０１  上り送信データ生成部
３０２  上り送信データ符号化・変調部
３０３  ＤＦＴ部
３０７  多重部
４０３  サブキャリアデマッピング部
４０４  同期検出・チャネル推定部
４０５  周波数領域等化部
４０６  ＩＤＦＴ部
【図１】
2010219804.tif 000003
【図２】
2010219804.tif 000004
【図３】
2010219804.tif 000005
【図４】
2010219804.tif 000006
【図５】
2010219804.tif 000007
【図６】
2010219804.tif 000008
【図７】
2010219804.tif 000009
【図８】
2010219804.tif 000010
【図９】
2010219804.tif 000011